(57)【要約】【課題】  網戸の目内の汚れを掻き出すことができる一方、特に繊維状の汚れであっても再付着を防止して、網戸の汚れを確実に払拭する。【解決手段】  網戸用清掃具１０は、基材１２と、この基材１２に立設されたベース繊維体１４と、基材１２に相互に間隔を空けて立設され網戸の目内に入り込む挿入繊維体１６とから成り、網戸に擦りつけられて網戸の汚れを払拭する。この挿入繊維体１６は、ベース繊維体１４よりも硬質であり、ベース繊維体１４から突出している。ベース繊維体１４は、マイクロファイバーから成り、挿入繊維体１６はナイロンの単繊維から成る。【選択図】        図１
0003176643.tif 000002
【実用新案登録請求の範囲】
【請求項１】
網戸に擦りつけられて前記網戸の汚れを払拭する網戸用清掃具であって、基材と、前記基材に立設されたベース繊維体と、前記基材に相互に間隔を空けて立設され前記網戸の目内に入り込む挿入繊維体とから成り、前記挿入繊維体は前記ベース繊維体よりも硬質であることを特徴とする網戸用清掃具。
【請求項２】
請求項１に記載された網戸用清掃具であって、前記挿入繊維体は前記ベース繊維体から突出していることを特徴とする網戸用清掃具。
【請求項３】
請求項１又は請求項２のいずれかに記載された網戸用清掃具であって、前記ベース繊維体はマイクロファイバーから成ることを特徴とする網戸用清掃具。
【請求項４】
請求項１乃至請求項３のいずれかに記載された網戸用清掃具であって、前記挿入繊維体は、ナイロンから成ることを特徴とする網戸用清掃具。
【請求項５】
請求項１乃至請求項４のいずれかに記載された網戸用清掃具であって、前記挿入繊維体は、単繊維から成ることを特徴とする網戸用清掃具。
【考案の詳細な説明】
【技術分野】
【０００１】
本考案は、網戸に擦りつけられて、網戸に付着した汚れを拭き取る網戸用清掃具の改良に関し、特に、網戸の目の間の汚れをも確実に払拭することに関するものである。
【背景技術】
【０００２】
一般に、網戸を清掃する場合、雑巾等で汚れを拭き取るか、サッシ等から外して水洗いをすることが行われる。しかし、雑巾での拭き取りや単なる水洗いでは、網戸の表面に付着した塵や埃等の汚れを洗い流すことはできても、網戸の目の中に入り込んで、特に、網戸の繊維に絡み付くようにして付着した汚れを払拭するのは困難であることが多い。
【０００３】
このため、近年では、網戸専用の清掃用具も種々提案されている。具体的には、例えば、台座にクッション部材を介して摺動部材を取付け、この摺動部材を、網目内に食い込む程度に細径で、かつ、摺擦により網線が変形しない程度に柔軟なパイル材を備えたパイル布により形成することが提案されている（特許文献１参照）。これにより、網戸を変形させることなく網目内の汚れを掻き出すことはできるが、一方で、掻き出された埃等はそのまま摺動部材により摺動方向に引き摺られるようにして拭き取られるため、特に、汚れが髪の毛や極細の繊維状の埃等である場合には、水分と共に再び網線にまとわりついて、網戸に再付着してしまい、結局、汚れが残存するという問題があった。
【０００４】
また、ロールの表面にブラシを取り付けて、網戸上で転がすことも提案されている（特許文献２等参照）。しかし、この従来技術によっても、ブラシは何度も網戸に擦りつけられるため、折角掻き出した汚れがブラシから離反して、再度網戸に付着する問題点は同様に解消することができず、特に髪の毛等の細繊維状の汚れについては適切に対応することができない。
【先行技術文献】
【特許文献】
【０００５】
【特許文献１】特開平１０−３２８０８１号公報
【特許文献２】特開２００８−９３２３８号公報
【考案の概要】
【考案が解決しようとする課題】
【０００６】
本考案が解決しようとする課題は、上記の問題点に鑑み、網戸の目内の汚れを掻き出すことができる一方、特に繊維状の汚れであっても再付着を防止して、網戸の汚れを確実に払拭することができる網戸用清掃具を提供することにある。
【課題を解決するための手段】
【０００７】
本考案は、上記の課題を解決するための第１の手段として、網戸に擦りつけられて網戸の汚れを払拭する網戸用清掃具であって、基材と、この基材に立設されたベース繊維体と、基材に相互に間隔を空けて立設され網戸の目内に入り込む挿入繊維体とから成り、この挿入繊維体はベース繊維体よりも硬質であることを特徴とする網戸用清掃具を提供するものである。
【０００８】
本考案は、上記の課題を解決するための第２の手段として、上記第１の解決手段において、挿入繊維体はベース繊維体から突出していることを特徴とする網戸用清掃具を提供するものである。
【０００９】
本考案は、上記の課題を解決するための第３の手段として、上記第１又は第２のいずれかの解決手段において、ベース繊維体はマイクロファイバーから成ることを特徴とする網戸用清掃具を提供するものである。
【００１０】
本考案は、上記の課題を解決するための第４の手段として、上記第１乃至第３のいずれかの解決手段において、挿入繊維体は、ナイロンから成ることを特徴とする網戸用清掃具を提供するものである。
【００１１】
本考案は、上記の課題を解決するための第５の手段として、上記第１乃至第４のいずれかの解決手段において、挿入繊維体は、単繊維から成ることを特徴とする網戸用清掃具を提供するものである。
【考案の効果】
【００１２】
本考案によれば、上記のように、網戸用清掃具は、ベース繊維体と、このベース繊維体よりも硬質な挿入繊維体とから成っているため、網戸用清掃具を網戸に押し付けた場合、挿入繊維体が網戸の目内に入り込んで網目内の汚れを確実に掻き出すと共に、掻き出された汚れはベース繊維体により拭き取られるので、特に繊維状の汚れであっても再付着を防止して、網戸の汚れをも確実に払拭することができる実益がある。
【００１３】
この場合、特に、挿入繊維体はベース繊維体から突出しているため、ベース繊維体と共に網戸に押し付けられることにより、網戸の目内に確実に入り込んで網目内の汚れを掻き出すことができる実益がある。
【００１４】
また、本考案によれば、上記のように、ベース繊維体は、マイクロファイバーから成っているため、きわめて細かい塵等を繊維表面に取り込むことができ、挿入繊維体が網目内から掻き出した髪の毛等や細繊維状の汚れ等を確実に拭き取ることができると同時に、網戸への再付着を適切に防止することができる実益がある。
【００１５】
更に、本考案によれば、上記のように、挿入繊維体は、ナイロンから成っているため、自己起立し、網戸に押し付けられた場合に、確実に網戸の目内に入り込んで、網目内の汚れを掻き出すことができる実益がある。
【００１６】
加えて、本考案によれば、上記のように、挿入繊維体は、単繊維から成っているため、細かな網戸の目であっても網目内に確実に入り込むことができる実益がある。
【図面の簡単な説明】
【００１７】
【図１】本考案の網戸用清掃具の縦断面図である。
【図２】本考案の網戸用清掃具の使用状態を示す概略縦断面図である。
【考案を実施するための最良の形態】
【００１８】
本考案の実施の形態を図面を参照しながら詳細に説明すると、図１は、本考案の網戸用清掃具１０を示し、この網戸用清掃具１０は、図２に示すように、モップ１の先端等に取り付けられて、網戸２に擦りつけられることにより、網戸２の汚れを払拭するものである。
【００１９】
この網戸用清掃具１０は、図１に示すように、基材１２と、この基材１２に立設されたベース繊維体１４と、基材１２に相互に間隔を空けて立設され網戸２の目２ａ内に入り込む挿入繊維体１６とから成っている。
【００２０】
（１．基材）
基材１２は、図１に示すように、ベース繊維体１４及び挿入繊維体１６を固定して、これらの繊維体１４、１６を支持する布状のものであり、ベース繊維体１４及び挿入繊維体１６を植毛や縫い込み等により立設することができれば、その厚みや材質には、特に限定はないが、例えば、フェルト材等を使用することができる。
【００２１】
また、網戸用清掃具１０の全体の形状は、この基材１２の形状により決定されるため、必要に応じて、裁断や縫合等により、適宜の形状に加工することができる、例えば、図２に示すように、モップ１の先端に取り付けられる場合には、当該モップ１の取付部に被せることができる袋状であって、かつ、モップ１の取付部の形状に付合した形状に加工することができる。勿論、本考案の網戸用清掃具１０は、必ずしも、モップ１に取り付けて使用する形態には限定されず、１枚の布状の雑巾のように使用することもでき、その場合の大きさや形状には、何ら限定はない。
【００２２】
（２．ベース繊維体）
ベース繊維体１４は、図１及び図２に示すように、植毛等により基材１２のほぼ全面に密集して立設される。これにより、網戸２に付着した汚れを確実に払拭することができる。また、このベース繊維体１４は、あまりに毛足が長いと後述する挿入繊維体１６が網戸２の目２ａ内に入り込む支障となるため、図２に示すように、網戸２にあてがった際に立設された挿入繊維体１６が立脚状態を維持することができる程度の高さ、より具体的には、２ｍｍ〜５ｍｍ程度の高さ（厚み）に形成することが好ましい。
【００２３】
また、このベース繊維体１４は、マイクロファイバーから形成することが望ましい。マイクロファイバーは、化学的に組成された８マイクロメートル以下の極細のナイロンやポリエステル等の繊維で、木綿と同等以上の吸水性や通気性・保温性を持たせた素材であって、塵や埃等の汚れに対する優れた掻き取り性を備え、特に、繊維断面が鋭角や多角形の形状をなしているため、きわめて細かい塵等を繊維表面に取り込むことができ、後述するように、挿入繊維体１６が網戸２の目２ａ内から掻き出した髪の毛等や細繊維状の汚れ等を確実に拭き取ることができると同時に、網戸２への汚れの再付着を適切に防止する上で非常に好適である。
【００２４】
（３．挿入繊維体）
一方、挿入繊維体１６としては、ベース繊維体１４よりも硬質のものを使用する。具体的には、図１に示すように、挿入繊維体１６は、少なくとも自由状態において先端が下方に向けて垂れることなく上方に向けて延びるように立脚する自己起立性を有し、その結果、図２に示すように、網戸用清掃具１０を網戸２に押し付けた場合であっても、網戸２の目２ａ内に入り込むことができる硬さを有することが必要である。
【００２５】
これにより、挿入繊維体１６は、図２に示すように、網戸用清掃具１０を網戸２に押し付けた場合、網戸２の目２ａ内に入り込んで網戸２の目２ａ内の汚れを確実に掻き出すことができる。一方で、ベース繊維体１４は、網戸２の押し付けられた際に潰れて倒される程度の硬さとすると、目２ａ内から掻き出された汚れ等を確実に払拭することができる。
【００２６】
具体的には、上記自由状態における自己起立性は、挿入繊維体１６の材質、形状、長さ及び繊維径を調整することにより確保することができる。より具体的には、挿入繊維体１６は、ナイロンから形成することが望ましい。ナイロン繊維は、引張強さ、耐屈曲性に優れ、軽量でありながら耐摩擦性に優れるため、汚れの払拭及び自己起立性を有する硬度を確保する上で好適である。
【００２７】
また、挿入繊維体１６は、図１及び図２に示すように、単繊維から形成することが望ましい。これにより、自己起立性を確保し易くなると共に、図２に示すように、細かな網戸２の目２ａであっても目２ａ内に確実に入り込むことができる。この場合、その繊維径は、少なくとも、自己起立性を確保することができる強さを確保することができる一方、網戸２の目２ａ内に入り込むことができる大きさとする。当該条件を満たせば、特に限定はないが、例えば、１５μｍ〜３０μｍ程度の繊維径のナイロン単繊維を使用することができる。また、挿入繊維体１６の長さについても、あまりに長いと自重により垂れ下がると共に網戸２の目２ａ内に挿入することが困難となるため、３ｍｍ〜７ｍｍ程度の長さとすることが好ましい。
【００２８】
この場合、挿入繊維体１６がより確実に網戸２の目２ａ内に入り込むことができるよう、図１及び図２に示すように、挿入繊維体１６を、ベース繊維体１４から突出させることが好ましい。即ち、挿入繊維体１６は、ベース繊維体１４よりも長く形成されることにより、図１及び図２に示すように、ベース繊維体１４から突出するように形成される。より具体的には、挿入繊維体１６は、ベース繊維体１４よりも、１ｍｍ〜３ｍｍ程度長く形成され、自然状態において１ｍｍ〜３ｍｍ程度ベース繊維体１４から突出する。これにより、図２に示すように、挿入繊維体１６が網戸２の目２ａ内に入り込んだ後、網戸用清掃具１０を摺動させることにより、装入繊維体１６が目２ａ内から細かな塵や埃等の汚れを確実に掻き出すことができる。なお、これらの挿入繊維体１６の長さやベース繊維体１４からの突出長さは、全ての挿入繊維体１６において均一である必要はなく、適切な範囲内で、ばらつきが存在していてもよい。
【００２９】
もっとも、挿入繊維体１６をベース繊維体１４から特に突出させない場合、あるいは、その突出の度合いが低い場合であっても、挿入繊維体１６は、上記の通り、ベース繊維体１４よりも硬質である一方、ベース繊維体１４は網戸２により押し潰されるために、網戸用清掃具１０を網戸２に押し付けた場合、相対的に、挿入繊維体１６が飛び出る形となり、挿入繊維体１６を網戸２の目２ａ内に挿入させることができる。
【００３０】
また、これらの挿入繊維体１６は、所定の間隔を空けて複数本配置されるが、その感覚は、規則的であるか不規則の間隔であるかは特に問わず、また立設密度についても、特に限定はないが、ある程度効率的に網戸２の目２ａ内に入り込ませるために、１ｃｍ四方内において少なくとも５本〜６本は配置することが好ましい。
【００３１】
また、この場合、挿入繊維体１６は、上記の自己起立性を有する硬度を確保していれば、必ずしも、基材１２に対して垂直に立設される必要はなく、図１に示すように、基材１２に対して傾斜して配置されていても問題はない。網戸用清掃具１０は、必ずしも、網戸２に対して垂直方向からのみ押し付けられるとは限らず、また、網戸２に押し付けられたまま、上下左右に摺動させられることにより、とある目２ａからその前後左右に存在する別の目２ａ内に移動して、各目２ａに入り込むことにより、目２ａ内の汚れを繰り返し連続的に掻き出すことができる。この意味において、挿入繊維体１６は、網戸用清掃具１０を網戸２に押し付けた場合に、必ずしも、全ての挿入繊維体１６が同時に網戸２の目２ａに入り込むことは必須ではない。
【００３２】
（４．使用方法）
更に、本考案の網戸用清掃具１０の使用方法について説明すると、図２に示すように、モップ１の先端等に取り付けられた状態で、網戸２に押し付け、その状態で網戸２の面を擦るように、摺動させる。この場合、図２に示すように、挿入繊維体１６が網戸２の目２ａ内に入り込んで網目内の汚れを確実に掻き出すと共に、この掻き出された汚れはベース繊維体１４により拭き取られるので、特に細かな繊維状の汚れであっても再付着を防止して、網戸の汚れをも確実に払拭することができる。なお、この場合、水や洗剤等を付着させて網戸２を拭くと、より適切に汚れを払拭することができる。
【産業上の利用可能性】
【００３３】
本考案は、網戸に擦りつけられて、網戸に付着した汚れを拭き取ることができるほか、同様に網目面を有するフィルター等の清掃に適用することもできる。
【符号の説明】
【００３４】
１  モップ
２  網戸
２ａ  網戸の目
１０  網戸用清掃具
１２  基材
１４  ベース繊維体
１６  挿入繊維体
【図１】
0003176643.tif 000003
【図２】
0003176643.tif 000004